(57)【要約】【課題】給湯機能と暖房機能とを備える複合熱源機であって、バーナ用比例弁４２を給湯バーナ４−１と暖房バーナ４−２とに共通のものとし、給湯と暖房の同時運転時に、比例弁により給湯バーナの燃焼量を優先して制御するものにおいて、同時運転時に耐久性に悪影響を与えることなく暖房側出湯温度の変動幅を小さく抑える。【解決手段】暖房端末の要求湯温より高いダウン温度及び要求湯温より低いアップ温度として夫々高低複数の温度を設定すると共に、これら複数のダウン温度及びアップ温度の夫々に対して要求湯温に近いダウン温度及びアップ温度ほど長くなるように切換時間を設定する。暖房側出湯温度が何れかのダウン温度以上または何れかのアップ以下になったときに、当該ダウン温度またはアップ温度に対して設定された切換時間が経過したところで、暖房バーナ４−２の燃焼面積を切換える。【選択図】図１
2006112660.tif 000002
【特許請求の範囲】
【請求項１】
給湯用の第１熱交換器及び第１熱交換器を加熱する第１バーナを有する第１燃焼部と、暖房端末との間で湯水を循環させる暖房用の第２熱交換器及び第２熱交換器を加熱する第２バーナを有する第２燃焼部とを備える複合熱源機であって、第１と第２の両バーナに対する共通のガス供給路に介設した単一の比例弁と、第２バーナの燃焼面積を広狭複数段に切換可能な能力切換弁とを備え、第１熱交換器から送り出される湯水の温度を給湯側出湯温度、第２熱交換器から送り出される湯水の温度を暖房側出湯温度として、給湯と暖房の同時運転時に、給湯側出湯温度が所定の設定温度になるように比例弁で第１バーナの燃焼量を制御すると共に、暖房側出湯温度が暖房端末の要求湯温より高く設定される所定の燃焼ダウン温度以上になったときに、第２バーナの燃焼面積がそれまでよりも狭くなるように能力切換弁を制御し、暖房側出湯温度が暖房端末の要求湯温より低く設定される所定の燃焼アップ温度以下になったときに、第２バーナの燃焼面積がそれまでよりも広くなるように能力切換弁を制御するものにおいて、
燃焼ダウン温度及び燃焼アップ温度として夫々高低複数の温度が設定されると共に、これら複数の燃焼ダウン温度及び燃焼アップ温度の夫々に対して切換時間が設定され、切換時間は前記要求湯温に近い燃焼ダウン温度及び燃焼アップ温度ほど長くなるように設定され、
給湯と暖房の同時運転時、暖房側出湯温度が何れかの燃焼ダウン温度以上になってから当該燃焼ダウン温度に対して設定される切換時間が経過したときに、第２バーナの燃焼面積がそれまでよりも狭くなるように能力切換弁を制御し、暖房側出湯温度が何れかの燃焼アップ温度以下になってから当該燃焼アップ温度に対して設定される切換時間が経過したときに、第２バーナの燃焼面積がそれまでよりも広くなるように能力切換弁を制御する制御手段を備えることを特徴とする複合熱源機。
【請求項２】
前記暖房端末として高温暖房端末と要求湯温が高温暖房端末より低い低温暖房端末とを備える請求項１記載の複合熱源機において、高温暖房端末による暖房運転時に使用する前記各燃焼ダウン温度及び前記各燃焼アップ温度と前記要求湯温との温度差は、低温暖房端末による暖房運転時に使用する前記各燃焼ダウン温度及び前記各燃焼アップ温度と前記要求湯温との温度差より小さいことを特徴とする複合熱源機。
【発明の詳細な説明】
【技術分野】
【０００１】
本発明は、給湯機能と暖房機能とを有する複合熱源機に関する。
【背景技術】
【０００２】
従来、この種の複合熱源機として、給湯用の第１熱交換器及び第１熱交換器を加熱する第１バーナを有する第１燃焼部と、暖房端末との間で湯水を循環させる暖房用の第２熱交換器及び第２熱交換器を加熱する第２バーナを有する第２燃焼部とを備えるものは知られている。このものにおいて、第１バーナ用と第２バーナ用の各別の比例弁を設ければ、第１バーナと第２バーナの燃焼量を個々に制御できるが、これではコストが高くなるため、第１と第２の両バーナに対する共通のガス供給路に単一の比例弁を介設し、第２バーナの燃焼面積を能力切換弁により広狭複数段に切換可能としたものも知られている（例えば、特許文献１参照）。
【０００３】
上記の如く比例弁を共通１個にした場合でも、給湯や暖房の単独運転時には、第１バーナと第２バーナの一方のバーナのみが燃焼するため、給湯負荷や暖房負荷に応じて対応するバーナの燃焼量を比例弁により適切に制御できる。即ち、給湯単独運転時には、第１熱交換器から送り出される湯水の温度（給湯側出湯温度）が所定の設定温度に一致するように第１バーナの燃焼量を比例弁で制御し、また、暖房単独運転時には、第２熱交換器から送り出される湯水の温度（暖房側出湯温度）が暖房端末の要求湯温に一致するように第２バーナの燃焼量を比例弁で制御できる。然し、給湯と暖房の同時運転時には、給湯と暖房の何れか一方を優先して比例弁による燃焼量の制御を行わざるを得なくなる。
【０００４】
ここで、給湯側出湯温度と暖房側出湯温度とのうちより高精度の温度制御が要求されるのは給湯側出湯温度であり、給湯側出湯温度が設定温度になるように第１バーナの燃焼量を比例弁で制御することが望まれる。この場合、暖房側出湯温度が暖房端末の要求湯温にできるだけ近付くように能力切換弁による第２バーナの燃焼面積の切換を行うことが必要になる。例えば、第２バーナを中程度の燃焼面積で燃焼させている状態で比例弁の開度が減少され、第２バーナの燃焼量の減少で暖房側出湯温度が要求湯温より低下したときには、第２バーナの燃焼面積を広くして燃焼量を増加し、逆に、比例弁の開度が増加され、第２バーナの燃焼量の増加で暖房側出湯温度が要求湯温より高くなったときには、第２バーナの燃焼面積を狭くして燃焼量を減少させることが必要になる。
【０００５】
そのため、暖房側出湯温度が暖房端末の要求湯温より高く設定される所定の燃焼ダウン温度以上になったときに、第２バーナの燃焼面積がそれまでよりも狭くなるように能力切換弁を制御し、暖房側出湯温度が暖房端末の要求湯温より低く設定される所定の燃焼アップ温度以下になったときに、第２バーナの燃焼面積がそれまでよりも広くなるように能力切換弁を制御することが考えられる。この場合、燃焼アップ温度と燃焼ダウン温度との間の温度範囲は能力切換弁の切換が行われない不感帯となる。ここで、不感帯を広くすると、暖房側出湯温度の変動幅が大きくなり、逆に、不感帯を狭くすると、能力切換弁の切換頻度が増大して耐久性が悪化するため、不感帯を適切に設定することは非常に困難である。
【特許文献１】特開２０００−２９１９４９号公報
【発明の開示】
【発明が解決しようとする課題】
【０００６】
本発明は、以上の点に鑑み、給湯と暖房の同時運転時に耐久性に悪影響を与えることなく暖房側出湯温度の変動幅を小さく抑えられるようにした複合熱源機を提供することをその課題としている。
【課題を解決するための手段】
【０００７】
上記課題を解決するために、本発明は、給湯用の第１熱交換器及び第１熱交換器を加熱する第１バーナを有する第１燃焼部と、暖房端末との間で湯水を循環させる暖房用の第２熱交換器及び第２熱交換器を加熱する第２バーナを有する第２燃焼部とを備える複合熱源機であって、第１と第２の両バーナに対する共通のガス供給路に介設した単一の比例弁と、第２バーナの燃焼面積を広狭複数段に切換可能な能力切換弁とを備え、第１熱交換器から送り出される湯水の温度を給湯側出湯温度、第２熱交換器から送り出される湯水の温度を暖房側出湯温度として、給湯と暖房の同時運転時に、給湯側出湯温度が所定の設定温度になるように比例弁で第１バーナの燃焼量を制御すると共に、暖房側出湯温度が暖房端末の要求湯温より高く設定される所定の燃焼ダウン温度以上になったときに、第２バーナの燃焼面積がそれまでよりも狭くなるように能力切換弁を制御し、暖房側出湯温度が暖房端末の要求湯温より低く設定される所定の燃焼アップ温度以下になったときに、第２バーナの燃焼面積がそれまでよりも広くなるように能力切換弁を制御するものにおいて、燃焼ダウン温度及び燃焼アップ温度として夫々高低複数の温度が設定されると共に、これら複数の燃焼ダウン温度及び燃焼アップ温度の夫々に対して切換時間が設定され、切換時間は前記要求湯温に近い燃焼ダウン温度及び燃焼アップ温度ほど長くなるように設定され、給湯と暖房の同時運転時、暖房側出湯温度が何れかの燃焼ダウン温度以上になってから当該燃焼ダウン温度に対して設定される切換時間が経過したときに、第２バーナの燃焼面積がそれまでよりも狭くなるように能力切換弁を制御し、暖房側出湯温度が何れかの燃焼アップ温度以下になってから当該燃焼アップ温度に対して設定される切換時間が経過したときに、第２バーナの燃焼面積がそれまでよりも広くなるように能力切換弁を制御する制御手段を備えることを特徴とする。
【０００８】
本発明によれば、暖房端末の要求湯温に最も近い最低燃焼ダウン温度とこの要求湯温に最も近い最高燃焼アップ温度との間の温度範囲が能力切換弁の切換が行われない不感帯となる。そして、暖房運転中に給湯運転が行われ、給湯負荷に応じた比例弁の制御で暖房側出湯温度が最低燃焼ダウン温度以上になったり最高燃焼アップ温度以下になっても、比較的長い時間が経過しないと能力切換弁の切換制御は行われず、その間に給湯運転が停止されて、暖房負荷に応じた比例弁の制御が再開される確率が高くなる。従って、不感帯の幅を狭めても、能力切換弁の切換頻度は左程大きくならず、耐久性の悪化が防止される。また、暖房側出湯温度が最低燃焼ダウン温度より高く設定される燃焼ダウン温度以上になったり、最高燃焼アップ温度より低く設定される燃焼アップ温度以下になったときは、比較的短時間で能力切換弁の切換制御が行われ、不感帯の幅を狭めることと相俟って、暖房側出湯温度の変動幅が小さく抑えられる。
【０００９】
ところで、暖房端末として要求湯温が比較的高温（例えば、８０℃）の温風暖房器等の高温暖房端末と、要求湯温が比較的低温（例えば、６０℃）の床暖房パネル等の低温暖房端末とを備える場合、高温暖房端末による暖房運転時には、低温暖房端末による暖房運転時に比し暖房側出湯温度Ｔの変動幅を小さく抑えることが要求される。そのため、高温暖房端末による暖房運転時に使用する前記各燃焼ダウン温度及び前記各燃焼アップ温度と暖房端末の要求湯温との温度差は、低温暖房端末による暖房運転時に使用する前記各燃焼ダウン温度及び前記各燃焼アップ温度と暖房端末の要求湯温との温度差より小さくすることが望ましい。
【発明を実施するための最良の形態】
【００１０】
図１は、単一の缶体１内に、給湯用の第１燃焼部２−１と暖房用の第２燃焼部２−２とを仕切り壁１ａを隔てて並設した１缶式複合熱源機を示している。第１燃焼部２−１は、給湯用の第１熱交換器３−１とこれを加熱する第１バーナ４−１とを有し、第２燃焼部２−１は、暖房用の第２熱交換器３−２とこれを加熱する第２バーナ４−２とを有する。両燃焼部２−１，２−２には共通の燃焼ファン５から燃焼用空気が供給される。第１と第２の各バーナ４−１，４−２の燃焼排気は、第１と第２の各熱交換器３−１，３−２に導かれ、各熱交換器３−１，３−２で熱交換した後、両熱交換器３−１，３−２の上側の共通の排気フード６に流れ、排気フード６に形成した排気口６ａから外部に排出される。尚、第１と第２の両バーナ４−１，４−２の燃焼量に対応する量の燃焼用空気が供給されるように、コントローラ７により燃焼ファン５の回転数が制御される。
【００１１】
第１熱交換器３−１には、上流側の給水路８ａと下流側の出湯路８ｂとが接続されている。給水路８ａには、流量センサ８１とコントローラ７で制御される流量調節弁８２とが設けられ、更に、流量調節弁８２の下流側において給水路８ａと出湯路８ｂとを結ぶバイパス通路８ｃを設け、バイパス通路８ｃにコントローラ７で制御されるバイパス流量調節弁８３を介設している。また、出湯路８ｂには、上流側の湯温センサ８４と、バイパス通路８ｃの合流部の下流側の湯温センサ８５とが設けられている。
【００１２】
流量センサ８１と湯温センサ８４，８５の検出信号はコントローラ７に入力される。そして、出湯路８ｂの下流端の出湯栓８６を開いて第１熱交換器３−１に通水したとき、流量センサ８１の検出流量が所定の下限流量以上になったところで、燃焼ファン５を駆動すると共に、第１バーナ４−１に点火し、給湯運転を行う。給湯運転に際しては、湯温センサ８４の検出温度（給湯側出湯温度）が所定の高温設定温度になるように、第１バーナ４−１の燃焼量を制御すると共に、第１バーナ４−１の燃焼量が最大になっても給湯側出湯温度が高温設定温度に達しないときは流量調節弁８２により第１熱交換器３−１への通水量を減少する。そして、湯温センサ８５の検出温度がリモコンで設定した設定給湯温度になるように、バイパス流量調節弁８３を介してバイパス通路８ｃに流れる水量（バイパスミキシング量）を制御する。
【００１３】
第２熱交換器３−２は、暖房回路９を介して要求湯温が比較的高い高温暖房端末たる温水式温風暖房器１０に接続されている。図示例では温風暖房器１０が１個であるが、暖房回路１０に複数の温風暖房器１０が並列に接続される場合もある。暖房回路９は、第２熱交換器３−２で加熱された湯水を温風暖房器１０に送る暖房往き通路９ａと、温風暖房器１０を通過した湯水を第２熱交換器３−２に戻す暖房戻り通路９ｂとで構成されている。暖房戻り通路９ｂには、シスターン９１とコントローラ７で制御される暖房ポンプ９２とが介設されている。そして、温風暖房器１０の運転スイッチをオンしたとき、温風暖房器１０の通水弁１０ａが開弁されると共に、暖房ポンプ９２が駆動され、温風暖房器１０と第２熱交換器３−２との間に暖房回路９を介して湯水が循環されるようにしている。
【００１４】
また、本実施形態では、要求湯温が比較的低い低温暖房端末たる床暖房パネル１１を備えており、暖房ポンプ９２の下流側の暖房戻り通路９ｂの部分から床暖房パネル１１に至る低温暖房往き通路９ｃが分岐されている。床暖房パネル１１を通過した湯水は温風暖房器１０を通過した湯水と一緒にシスターン９１に戻される。更に、暖房回路９には、温風暖房器１０と並列に比較的管路抵抗の大きなバイパス通路９ｄが設けられている。床暖房の運転スイッチをオンすると、床暖房パネル１１の通水弁１１ａが開弁されると共に、暖房ポンプ９２が駆動される。これにより、バイパス通路９ｄを経由して第２熱交換器３−２に湯水が循環されると共に、暖房ポンプ９２から送り出される湯水の一部が床暖房パネル１１に流れ、第２熱交換器３−２からの熱がシスターン９１を介して床暖房パネル１１に伝達される。
【００１５】
暖房往き通路９ａの上流部には、第２熱交換器３−２から送り出される湯水の温度（暖房側出湯温度）を検出する湯温センサ９３が設けられており、この湯温センサ９３の検出信号をコントローラ７に入力している。そして、温風暖房器１０や床暖房の運転スイッチがオンされて暖房運転を行う際、湯温センサ９３で検出される暖房側出湯温度が温風暖房器１０や床暖房パネル１１の要求湯温になるように第２バーナ４−２の燃焼量を制御する。尚、温風暖房器１０の要求湯温は比較的高温（例えば、８０℃）であり、床暖房パネル１１の要求湯温は比較的低温（例えば、６０℃）である。
【００１６】
また、本実施形態では、第２熱交換器３−２により風呂の追焚きも行えるようにしている。即ち、浴槽１２に接続される風呂回路１３にコントローラ７で制御される風呂ポンプ１３１と液々熱交換器１３２とを介設すると共に、暖房回路９に、暖房往き通路９ａから液々熱交換器１３２を介してシスターン９１に至る追焚き通路９ｅを設け、追焚き通路９ｅにコントローラ７で制御される追焚き弁１３３を介設している。追焚き運転スイッチがオンされると、風呂ポンプ１３１が駆動されて風呂回路１３に浴槽１２の湯水が循環され、更に、追焚き弁１３３が開弁されると共に暖房ポンプ９２が駆動されて、第２熱交換器３−２に液々熱交換器１３２を経由して湯水が循環され、風呂回路１３に循環される浴槽１２の湯水が液々熱交換器１３２で加熱される。風呂回路１３には、浴槽１２から送り出される湯水の温度を検出する湯温センサ１３４が設けられており、湯温センサ１３４の検出信号をコントローラ７に入力して、湯温センサ１３４の検出温度が設定追焚き湯温に上昇したとき上記した追焚き運転が停止されるようにしている。
【００１７】
また、風呂回路１３には、出湯路８ｂから分岐させた注湯路１３５が逆止弁１３６を介して接続されている。注湯路１３５には、コントローラ７で制御される湯張り弁１３７が介設されており、湯張りスイッチをオンしたときに、湯張り弁１３７が開弁され、第１熱交換器３−１で加熱された湯水が浴槽１２に注入される。
【００１８】
次に、第１と第２の両バーナ４−１，４−２に対するガス供給について説明する。第１と第２の両バーナ４−１，４−２に対する共通のガス供給路４０には、元弁４１と比例弁４２とが介設されている。そして、共通ガス供給路４０から第１バーナ４−１用の能力切換弁４３Ｓ，４３Ｍ，４３Ｌを介して第１バーナ４−１にガスを供給し、また、共通ガス供給路４０から第２バーナ４−２用の能力切換弁４４Ｓ，４４Ｌを介して第２バーナ４−２にガスを供給している。これを詳述するに、第１バーナ４−１は、横方向に並べた複数個、例えば、１６個の単位バーナ４ａで構成されており、これら単位バーナ４ａを３個の単位バーナ４ａから成る第１単位バーナ群４−１Ｓと、５個の単位バーナ４ａから成る第２単位バーナ群４−１Ｍと、８個の単位バーナ４ａから成る第３単位バーナ群４−１Ｌとに組み分けし、各単位バーナ群４−１Ｓ，４−１Ｍ，４−１Ｌに各能力切換弁４３Ｓ，４３Ｍ，４３Ｌを介してガスを供給している。かくして、第１バーナ４−１の燃焼面積は、第１バーナ群４−１Ｓのみにガスを供給したときの最小面積と、全ての単位バーナ群４−１Ｓ，４−１Ｍ，４−１Ｌにガスを供給したときの最大面積との間で複数段に切換自在となる。
【００１９】
第２バーナ４−２は、横方向に並べた５個の単位バーナ４ａで構成されており、これら単位バーナ４ａを２個の単位バーナ４ａから成る第１単位バーナ群４−２Ｓと、３個の単位バーナ４ａから成る第２単位バーナ群４−２Ｌとに組み分けし、各単位バーナ群４−２Ｓ，４−２Ｌに各能力切換弁４４Ｓ，４４Ｌを介してガスを供給している。かくして、第２バーナ４−２の燃焼面積は、第１能力切換弁４４Ｓのみを開弁して第１単位バーナ群４−２Ｓのみにガスを供給したときの最小面積と、第２能力切換弁４４Ｌのみを開弁して第２単位バーナ群４−２Ｌのみにガスを供給したときの中間面積と、第１と第２の両能力切換弁４４Ｓ，４４Ｌを開弁して第１と第２の両単位バーナ群４−２Ｓ，４−２Ｌにガスを供給したときの最大面積との３段階に切換自在となる。
【００２０】
元弁４１、比例弁４２、第１バーナ４−１用の能力切換弁４３Ｓ，４３Ｍ，４３Ｌ及び第２バーナ４−２用の能力切換弁４４Ｓ，４４Ｌはコントローラ７で制御される。給湯（湯張りを含む）の単独運転時には、第１湯温センサ８４で検出される給湯側出湯温度が所定の高温設定温度になるように、比例弁４２と能力切換弁４３Ｓ，４３Ｍ，４３Ｌとの組み合わせの制御で第１バーナ４−１の燃焼量を制御する。また、暖房（風呂追焚きを含む）の単独運転時にも、湯温センサ９３で検出される暖房側出湯温度が暖房端末たる温風暖房器１０や床暖房パネル１１の要求湯温になるように、比例弁４２と能力切換弁４４Ｓ，４４Ｌとの組み合わせの制御で第２バーナ４−２の燃焼量を制御する。
【００２１】
図３は、第２バーナ４−２を大中小の夫々の面積で燃焼させたときの比例弁４２の開度変化による燃焼量の変化を示しており、横軸のＬ、Ｈは比例弁４２の比例制御可能な下限開度と上限開度である。第２バーナ４−２を最大面積で燃焼させた場合、燃焼量は図３のａ線の如く変化し、比例弁４２の下限開度と上限開度での燃焼量は夫々５２６５ｋｃａｌ／ｈ、９５４５ｋｃａｌ／ｈになる。第２バーナ４−２を中間面積で燃焼させた場合には、燃焼量は図３のｂ線の如く変化し、比例弁４２の下限開度と上限開度での燃焼量は夫々３１２０ｋｃａｌ／ｈ、５９２５ｋｃａｌ／ｈになり、第２バーナ４−２を最小面積で燃焼させた場合には、燃焼量は図３のｃ線の如く変化し、比例弁４２の下限開度と上限開度での燃焼量は夫々２０５４ｋｃａｌ／ｈ、３９００ｋｃａｌ／ｈになる。従って、比例弁４２の開度変化と能力切換弁４４Ｓ，４４Ｌによる第２バーナ４−２の燃焼面積の切換との組み合わせにより第２バーナ４−２の燃焼量を広範囲に可変できる。これは第１バーナ４−１についても同様である。尚、暖房単独運転時に、第２バーナ４−２を最小面積で、且つ、比例弁４２を下限開度にして燃焼させても、暖房側出湯温度が暖房端末の要求湯温より高く設定される所定の燃焼オフ温度以上になるときは、第２バーナ４−２の燃焼のオンオフ制御を行う。
【００２２】
ところで、給湯と暖房の同時運転時には、給湯を優先し、第１湯温センサ８４で検出される給湯側出湯温度が所定の高温設定温度になるように比例弁４２と能力切換弁４３Ｓ，４３Ｍ，４３Ｌとで第１バーナ４−１の燃焼量を制御する。そのため、給湯と暖房の同時運転時には、第２バーナ４−２の燃焼量を適切に制御できなくなり、暖房側出湯温度が暖房端末の要求湯温からずれてしまうことがある。例えば、暖房運転中に給湯運転が行われた場合、暖房単独運転時よりも比例弁４２の開度が減少して、暖房側出湯温度が要求湯温より低下し、或いは、暖房単独運転時よりも比例弁４２の開度が増加して、暖房側出湯温度が要求湯温より高くなることがある。
【００２３】
そこで、給湯と暖房の同時運転時には、暖房側出湯温度が暖房端末の要求湯温より高く設定される所定の燃焼ダウン温度以上になったときに、第２バーナ４−２の燃焼面積がそれまでよりも狭くなるように能力切換弁４４Ｓ，４４Ｌを制御し、暖房側出湯温度が暖房端末の要求湯温より低く設定される所定の燃焼アップ温度以下になったときに、第２バーナ４−２の燃焼面積がそれまでよりも広くなるように能力切換弁４４Ｓ，４４Ｌを制御するようにしている。
【００２４】
更に、本実施形態では、燃焼ダウン温度として、暖房端末の要求湯温より若干高い第１燃焼ダウン温度Ｔｄｎ１（例えば、Ｔｄｎ１＝要求湯温＋３℃）と、第１燃焼ダウン温度Ｔｄｎ１より高い第２燃焼ダウン温度Ｔｄｎ２（例えば、Ｔｄｎ２＝Ｔｄｎ１＋７℃）とを設定すると共に、これら燃焼ダウン温度Ｔｄｎ１，Ｔｄｎ２に対して夫々切換時間ｔｄｎ１，ｔｄｎ２を設定し、第１燃焼ダウン温度Ｔｄｎ１に対して設定される第１燃焼ダウン切換時間ｔｄｎ１を第２燃焼ダウン温度Ｔｄｎ２に対して設定される第２燃焼ダウン切換時間ｔｄｎ２よりも長くしている（例えば、ｔｄｎ１＝２０秒、ｔｄｎ２＝２秒）。同様に、燃焼アップ温度として、暖房端末の要求湯温より若干低い第１燃焼アップ温度Ｔｕｐ１（例えば、Ｔｕｐ１＝要求湯温−３℃）と、第１燃焼アップ温度Ｔｕｐ１より低い第２燃焼アップ温度Ｔｕｐ２（例えば、Ｔｕｐ２＝Ｔｕｐ１−１２℃）とを設定すると共に、これら燃焼アップ温度Ｔｕｐ１，Ｔｕｐ２に対して夫々切換時間ｔｕｐ１，ｔｕｐ２を設定し、第１燃焼アップ温度Ｔｕｐ１に対して設定される第１燃焼アップ切換時間ｔｕｐ１を第２燃焼アップ温度Ｔｕｐ２に対して設定される第２燃焼アップ切換時間ｔｕｐ２よりも長くしている（例えば、ｔｕｐ１＝２０秒、ｔｕｐ２＝２秒）。また、第２燃焼アップ温度Ｔｕｐ２よりも低い燃焼オン温度Ｔｏｎを設定し、燃焼オン温度Ｔｏｎに対しても所定の燃焼オン切換時間ｔｏｎを設定している。
【００２５】
図２は給湯と暖房の同時運転時における第２バーナ４−２の燃焼制御プログラムを示している。これを詳述するに、先ず、Ｓ１のステップで第２バーナ４−２の燃焼面積の判別処理を行う。この判別処理では、暖房単独運転中に給湯運転が行われて同時運転に移行した場合、同時運転に移行する直前の第２バーナ４−２の燃焼面積を判別し、判別面積が最大面積であるときはＳ２のステップに進んで、第２バーナ４−２用の第１と第２の両能力切換弁４４Ｓ，４４Ｌを開弁させる最大面積での燃焼を継続し、判別燃焼面積が中間面積であるときはＳ３のステップに進んで、第２能力切換弁４４Ｌのみを開弁させる中間面積での燃焼を継続し、判別面積が最小面積であるときはＳ４のステップに進んで、第１能力切換弁４４Ｓのみを開弁させる最小面積での燃焼を継続する。また、給湯運転中に暖房運転が行われて同時運転に移行した場合は、燃焼面積判別処理において、湯温センサ９３により検出される暖房側出湯温度に応じて燃焼面積を決定し、暖房側出湯温度が比較的低いときはＳ２のステップに進んで第２バーナ４−２の燃焼を最大面積で開始し、暖房側出湯温度が比較的高いときはＳ３のステップに進んで第２バーナ４−２の燃焼を中間面積で開始する。
【００２６】
最大面積での燃焼時には、先ず、Ｓ５のステップで湯温センサ９３により検出される暖房側出湯温度Ｔが第１燃焼ダウン温度Ｔｄｎ１以上であるか否かを判別し、Ｔ≧Ｔｄｎ１であれば、Ｓ６のステップで暖房側出湯温度Ｔが第２燃焼ダウン温度Ｔｄｎ２以上であるか否かを判別する。そして、Ｔ＜Ｔｄｎ２であれば、Ｓ７のステップでＴ≧Ｔｄｎ１になってから第１燃焼ダウン切換時間ｔｄｎ１が経過したか否かを判別し、また、Ｔ≧Ｔｄｎ２であれば、Ｓ８のステップでＴ≧Ｔｄｎ２になってから第２燃焼ダウン切換時間ｔｄｎ２が経過したか否かを判別し、Ｓ７のステップでｔｄｎ１経過したと判別されたときや、Ｓ８のステップでｔｄｎ２経過したと判別されたときに、Ｓ３のステップに進んで第２バーナ４−２の燃焼面積を中間面積に切換える。
【００２７】
中間面積での燃焼時には、先ず、Ｓ９のステップで暖房側出湯温度Ｔが第１燃焼アップ温度Ｔｕｐ１以下であるか否かを判別し、Ｔ≦Ｔｕｐ１であれば、Ｓ１０のステップで暖房側出湯温度Ｔが第２燃焼アップ温度Ｔｕｐ２以下であるか否かを判別する。そして、Ｔ＞Ｔｕｐ２であれば、Ｓ１１のステップでＴ≦Ｔｕｐ１になってから第１燃焼アップ切換時間ｔｕｐ１が経過したか否かを判別し、また、Ｔ≦Ｔｕｐ２であれば、Ｓ１２のステップでＴ≦Ｔｕｐ２になってから第２燃焼アップ切換時間ｔｕｐ２が経過したか否かを判別し、Ｓ１１のステップでｔｕｐ１経過したと判別されたときや、Ｓ１２のステップでｔｕｐ２経過したと判別されたときに、Ｓ２のステップに進んで第２バーナ４−２の燃焼面積を最大面積に切換える。
【００２８】
Ｓ９のステップでＴ＞Ｔｕｐ１と判別されたときは、Ｓ１３のステップに進んで暖房側出湯温度Ｔが第１燃焼ダウン温度Ｔｄｎ１以上であるか否かを判別し、Ｔ≧Ｔｄｎ１であれば、Ｓ１４のステップで暖房側出湯温度Ｔが第２燃焼ダウン温度Ｔｄｎ２以上であるか否かを判別する。そして、Ｔ＜Ｔｄｎ２であれば、Ｓ１５のステップでＴ≧Ｔｄｎ１になってから第１燃焼ダウン切換時間ｔｄｎ１が経過したか否かを判別し、また、Ｔ≧Ｔｄｎ２であれば、Ｓ１６のステップでＴ≧Ｔｄｎ２になってから第２燃焼ダウン切換時間ｔｄｎ２が経過したか否かを判別し、Ｓ１５のステップでｔｄｎ１経過したと判別されたときや、Ｓ１６のステップでｔｄｎ２経過したと判別されたときに、Ｓ４のステップに進んで第２バーナ４−２の燃焼面積を最小面積に切換える。
【００２９】
最小面積での燃焼時には、先ず、Ｓ１７のステップで暖房側出湯温度Ｔが第１燃焼アップ温度Ｔｕｐ１以下であるか否かを判別し、Ｔ≦Ｔｕｐ１であれば、Ｓ１８のステップで暖房側出湯温度Ｔが第２燃焼アップ温度Ｔｕｐ２以下であるか否かを判別する。そして、Ｔ＞Ｔｕｐ２であれば、Ｓ１９のステップでＴ≦Ｔｕｐ１になってから第１燃焼アップ切換時間ｔｕｐ１が経過したか否かを判別し、また、Ｔ≦Ｔｕｐ２であれば、Ｓ２０のステップでＴ≦Ｔｕｐ２になってから第２燃焼アップ切換時間ｔｕｐ２が経過したか否かを判別し、Ｓ１９のステップでｔｕｐ１経過したと判別されたときや、Ｓ２０のステップでｔｕｐ２経過したと判別されたときに、Ｓ３のステップに進んで第２バーナ４−２の燃焼面積を中間面積に切換える。
【００３０】
Ｓ１７のステップでＴ＞Ｔｕｐ１と判別されたときは、Ｓ２１のステップに進んで暖房側出湯温度Ｔが第１燃焼ダウン温度Ｔｄｎ１以上であるか否かを判別し、Ｔ≧Ｔｄｎ１であれば、Ｓ２２のステップで暖房側出湯温度Ｔが第２燃焼ダウン温度Ｔｄｎ２以上であるか否かを判別する。そして、Ｔ＜Ｔｄｎ２であれば、Ｓ２３のステップでＴ≧Ｔｄｎ１になってから第１燃焼ダウン切換時間ｔｄｎ１が経過したか否かを判別し、また、Ｔ≧Ｔｄｎ２であれば、Ｓ２４のステップでＴ≧Ｔｄｎ２になってから第２燃焼ダウン切換時間ｔｄｎ２が経過したか否かを判別し、Ｓ２３のステップでｔｄｎ１経過したと判別されたときや、Ｓ２４のステップでｔｄｎ２経過したと判別されたときに、Ｓ２５のステップで第２バーナ４−２の燃焼を一旦停止する。その後、Ｓ２６のステップで暖房側出湯温度Ｔが燃焼オン温度Ｔｏｎ以下になったか否かを判別し、Ｔ≦Ｔｏｎであれば、Ｓ２７のステップでＴ≦Ｔｏｎになってから燃焼オン切換時間ｔｏｎが経過したか否かを判別し、ｔｏｎ経過したと判別されたときに、Ｓ２のステップに進んで第２バーナ４−２の燃焼を最大面積で再開する。
【００３１】
以上の制御によれば、暖房端末の要求湯温に最も近い第１燃焼ダウン温度Ｔｄｎ１とこの要求湯温に最も近い第１燃焼アップ温度Ｔｕｐ１との間の温度範囲が能力切換弁４４Ｓ，４４Ｌによる第２バーナ４−２の燃焼面積の切換が行われない不感帯となる。そして、給湯と暖房の同時運転時に、給湯負荷に応じた比例弁４２の制御で暖房側出湯温度Ｔが第１燃焼ダウン温度Ｔｄｎ１以上になったり第１燃焼アップ温度Ｔｕｐ１以下になっても、比較的長い時間ｔｄｎ１，ｔｕｐ１が経過しないと能力切換弁４４Ｓ、４４Ｌの切換制御は行われず、その間に給湯運転が停止されて、暖房負荷に応じた比例弁４２の制御が再開される確率が高くなる。従って、不感帯の幅を狭めても、能力切換弁４４Ｓ，４４Ｌの切換頻度は左程大きくならず、耐久性の悪化が防止される。また、暖房側出湯温度Ｔが第１燃焼ダウン温度Ｔｄｎ１より高く設定される第２燃焼ダウン温度Ｔｄｎ２以上になったり、第１燃焼アップ温度Ｔｕｐ１より低く設定される第２燃焼アップ温度Ｔｕｐ２以下になったときは、比較的短時間ｔｄｎ２，ｔｕｐ２で能力切換弁４４Ｓ，４４Ｌの切換制御が行われ、不感帯の幅を狭めることと相俟って、暖房側出湯温度Ｔの変動幅が小さく抑えられる。
【００３２】
ところで、要求湯温が高い高温暖房端末たる温風暖房器１０による暖房運転時には、要求湯温が比較的低い低温暖房端末たる床暖房パネル１１による暖房運転時に比し暖房側出湯温度Ｔの変動幅を小さく抑えることが要求される。そのため、温風暖房器１０による暖房運転時に使用する各燃焼ダウン温度Ｔｄｎ１，Ｔｄｎ２及び各燃焼アップ温度Ｔｕｐ１，Ｔｕｐ２と暖房端末の要求湯温との温度差は、床暖房パネル１１による暖房運転時に使用する各燃焼ダウン温度Ｔｄｎ１，Ｔｄｎ２及び各燃焼アップ温度Ｔｕｐ１，Ｔｕｐ２と暖房端末の要求湯温との温度差よりも小さくすることが望ましい。
【００３３】
また、上記実施形態では、Ｓ２５のステップで第２バーナ４−２の燃焼を停止した後の燃焼の再開を最大面積で行うようにしているが、燃焼の再開を中間面積や最小面積で行うことも可能である。但し、燃焼停止中に低下した暖房側出湯温度Ｔを早期に暖房端末の要求湯温まで上昇させるには、燃焼の再開を最大面積で行うことが望ましい。
【００３４】
尚、上記実施形態では、第２バーナ４−２の燃焼面積を３段階に切換え自在としたが、２段階或いは４段階以上に切換え自在としても良い。また、上記実施形態では、燃焼ダウン温度及び燃焼アップ温度として夫々第１と第２の２つの温度Ｔｄｎ１，Ｔｄｎ２、Ｔｕｐ１，Ｔｕｐ２を設定したが、燃焼ダウン温度及び燃焼アップ温度として夫々３つ以上の温度を設定することも可能である。
【図面の簡単な説明】
【００３５】
【図１】本発明熱源機の実施形態の構造を示す説明図。
【図２】図１の熱源機の給湯と暖房の同時運転時における第２バーナの制御プログラムを示すフロー図。
【図３】図１の熱源機の第２バーナの燃焼面積を最大、中間、最小にしたときの比例弁の開度と燃焼量との関係を示すグラフ。
【符号の説明】
【００３６】
２−１…第１燃焼部、２−２…第２燃焼部、３−１…第１熱交換器、３−２…第２熱交換器、４−１…第１バーナ、４−２…第２バーナ、４２…比例弁、４４Ｓ，４４Ｌ…能力切換弁、７…コントローラ（制御手段）、１０…温風暖房器（高温暖房端末）、１１…床暖房パネル（低温暖房端末）。
【図１】
2006112660.tif 000003
【図２】
2006112660.tif 000004
【図３】
2006112660.tif 000005